【事件の表示】
　特許第３２５４７５８号「印刷システム」の請求項１ないし３に係る特許に対する特許異議の申立てについて、次のとおり決定する。
【結　論】
　訂正を認める。
　特許第３２５４７５８号の請求項１ないし３に係る特許を取り消す。
【理　由】
理　由 
１．手続の経緯
　特許第３２５４７５８号は、平成４年１０月１９日に出願され、平成１３年１１月３０日に設定登録され、その後、小湊勇次より特許異議の申立てがなされ、特許の取消しの理由が通知され、その指定期間内である平成１５年１月７日に願書に添付した明細書又は図面の訂正が請求されたものである。
　
２．訂正の適否
（１）訂正内容
　本件訂正は、次の訂正事項ａないしｅを内容とするものである。
　
訂正事項ａ）
　特許請求の範囲の請求項１の「前記印刷情報データを受信して前記印刷装置に転送する」を「前記印刷情報データを受信して該印刷情報データを前記接続方式に対応した転送方式で前記印刷装置に転送する」と訂正する。
　
訂正事項ｂ）
　特許請求の範囲の請求項１の「転送されてきた前記印刷情報データ」を「前記接続方式に対応した転送方式で転送されてきた前記印刷情報データ」と訂正する。
　
訂正事項ｃ）
　特許請求の範囲の請求項２の「前記印刷情報データを受信して前記印刷装置に転送する」を「前記印刷情報データを受信して該印刷情報データを前記接続方式に対応した転送方式で前記印刷装置に転送する」と訂正する。
　
訂正事項ｄ）
　特許請求の範囲の請求項３の「転送されてきた前記印刷情報データ」を「前記接続方式に対応した転送方式で転送されてきた前記印刷情報データ」と訂正する。
　
訂正事項ｅ）
　本件明細書の段落【００１６】の「データ処理部５」、段落【００２１】の「データ処理部１」、段落【００２２】の「データ処理部５」、段落【００２５】の「データ処理部５」を、「データ処理部２３」、「データ処理部１３」、「データ処理部２３」、「データ処理部２３」とそれぞれ訂正する。
　
（２）訂正の目的の適否、新規事項の有無及び拡張・変更の存否
　訂正事項ａ）、ｃ）は、「前記印刷情報データを受信して前記印刷装置に転送する」に、「該印刷情報データを前記接続方式に対応した転送方式で」という限定を付加するものであり、訂正事項ｂ）、ｄ）は、「転送されてきた前記印刷情報データ」に、「該印刷情報データを前記接続方式に対応した転送方式で」という限定を付加するものであるから、これらの訂正事項は、特許請求の範囲の減縮を目的にするものであって、本件特許の願書に添付した明細書又は図面の段落【０００３】に、「最近のコンピュータと通信の技術の進展に伴い、図７に示すようにコンピュータ３１と印刷装置３３〜３６の接続方式に関してもチャネル制御を採用したインタフェース４１やＬＡＮを採用したインタフェース４２、ＭＯＤＥＭを採用したインタフェース４３、他のコンピュータ３２を介して構成されるインタフェース４４のように様々な接続方式が提供されている。」と記載されており、これらの接続方式に対応した転送方式でデータが転送されることは技術常識であるから、これらの訂正事項は、本件特許の願書に添付した明細書又は図面に記載した事項の範囲内の訂正であり、実質上特許請求の範囲を拡張し又は変更するものでもない。
　
　さらに、訂正事項ｅ）は、段落【００１６】、【００２１】、【００２２】、【００２５】の「データ処理部」に付した符号を図面に付した符号と一致するように訂正するもので、明らかな誤記の訂正を目的とするものである。
　
　したがって、本件訂正は、特許請求の範囲の減縮や明らかな誤記の訂正を目的とし、新規事項の追加に該当せず、実質上特許請求の範囲を拡張し、又は変更するものではない。
　
（３）むすび
　以上のとおりであるから、本件訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、本件訂正を認める。
　
３．特許異議の申立てについての判断
（１）本件発明
　本件訂正が認められるから、本件の請求項１ないし３に係る発明（以下、「本件発明１」ないし「本件発明３」という。）は、本件訂正に係る訂正明細書の特許請求の範囲の請求項１ないし３に記載された事項により特定される次のとおりのものである。
　
　【請求項１】　ホストコンピュータと印刷装置から構成される印刷システムにおいて、
　前記ホストコンピュータは、
　ホストコンピュータと印刷装置の接続方式について共通であって、印刷制御用データと印刷データからなる印刷情報データを生成して出力するホストコンピュータデータ処理部と、
　ホストコンピュータと印刷装置の接続方式によって異なり、前記ホストコンピュータデータ処理部から出力された前記印刷情報データを受信して該印刷情報データを前記接続方式に対応した転送方式で前記印刷装置に転送するホストコンピュータインターフェース制御部と
　を有し、
　前記印刷装置は、
　ホストコンピュータと印刷装置の接続方式によって異なり、前記ホストコンピュータインターフェース制御部から前記接続方式に対応した転送方式で転送されてきた前記印刷情報データを受信する印刷装置インターフェース制御部と、
　ホストコンピュータと印刷装置の接続方式について共通であって、前記印刷装置インターフェース制御部が受信した前記印刷情報データに基づき印刷制御を行う印刷装置データ処理部と
　を有することを特徴とする印刷システム。
　【請求項２】　印刷装置と接続されるホストコンピュータであって、
　ホストコンピュータと印刷装置の接続方式について共通であって、印刷制御用データと印刷データからなる印刷情報データを生成して出力するデータ処理部と、
　ホストコンピュータと印刷装置の接続方式によって異なり、前記データ処理部から出力された前記印刷情報データを受信して該印刷情報データを前記接続方式に対応した転送方式で前記印刷装置に転送するインターフェース制御部と
　を有することを特徴とするホストコンピュータ。
　【請求項３】　ホストコンピュータと接続される印刷装置であって、
　印刷装置とホストコンピュータの接続方式によって異なり、ホストコンピュータから前記接続方式に対応した転送方式で転送されてきた印刷制御用データと印刷データからなる印刷情報データを受信するインターフェース制御部と、
　印刷装置とホストコンピュータの接続方式について共通であって、前記インターフェース制御部が受信した前記印刷情報データに基づき印刷制御を行う印刷装置データ処理部と
　を有することを特徴とする印刷装置。
　
（２）刊行物記載の発明
　取消理由通知書で引用した特開昭６３−１８５６７１号公報（異議申立人小湊勇次の提出した甲第１号証。以下、「刊行物１」という。）には、次の記載がある。
　
イ）第４頁左下欄第４行〜同頁右下欄第１７行
　［実施例］
　以下、本発明の一実施例を図を用いて説明する。なお、本実施例は、ワードプロセッサに適用した例であるが、パーソナルコンピュータ等にも適用することができる。
　第３図は、本発明を実施するためのハードウェア構成の一例である。１００と１１０はマイクロプロセッサである。１００は文書の編集と印刷に携わるマイクロプロセッサであり以下メインＣＰＵと呼ぶ。１１０は、メインＣＰＵの指示に基づき、グラフィックメモリ１１１に文字や直線などを展開するプロセッサであり、以下サブＣＰＵと呼ぶ。…（中略）…１０３と１０４はプリンタであり、第２図では、低速で安価なワイヤドットプリンタ１０３と高速なレーザプリンタ１０４の２種類のプリンタをサポートするシステムの例を示している。
　
ロ）第４頁右下欄第１９行〜第５頁右上欄第１６行
　第２図は、本発明の一実施例である印刷処理システムのソフトウェア構成を示している。２０１と２０２は、テキスト、図形、グラフなど各アプリケーションに依存する印刷プログラム群である。…（中略）…これら印刷プログラムは、対応する編集プログラムのデータから、後で説明するＯＳ（オペレーティングシステム）が用意する印刷用コマンドを発生する。
　２０３は印刷管理プログラムであり、印刷プログラムの実行順序等を制御する。２０４は印刷条件設定プログラムであり、印刷条件を入力して後、印刷管理プログラム２０３を起動する。以上の２０１〜２０４の各プログラムは各々独立したタスクとしてＯＳ２０５で制御される。
　ＯＳ２０５は基本的なタスク制御や入出力制御などを行うカーネル部２０７と上述した印刷用コマンドからドットイメージを発生させるなどの印刷処理特有の機能を実現する印刷制御プログラム２０６に別れる。印刷制御プログラム２０６は、プログラム２０１〜２０４に対して高度な印刷処理機能を提供する。印刷プログラム２０１〜２０２は、それぞれ編集プログラムのデータからテキスト列描画、直線描画、円描画などの描画コマンドを発生する。該コマンドにより、印刷制御プログラムは所望の印刷用バッファに印刷用ドットイメージを展開する。
　２０８はワイヤドットプリンタドライバであり、２０９はレーザプリンタドライバである。これらは各々ワイヤドットプリンタ１０３、レーザプリンタ１０４を制御する。レーザプリンタ１０４は、実際の印字を行うレーザプリンタエンジン２１１と、レーザプリンタエンジン２１１を制御し、ワードプロセッサ２００と通信を行い、ワードプロセッサ２００から転送された印刷データを、レーザプリンタエンジン２１１が印字できる形に変換するコントローラ部２１０からなる。
　
ハ）第６頁右上欄第７行〜同頁左下欄第１４行
　第７図はレーザプリンタで印刷する場合の処理の流れが示してある。ただし印刷条件設定プログラム２０４は省略されている。この図に従って印刷処理の概略を説明し、その後のプログラム単位の詳細な処理を説明する。
　印刷管理プログラム２０３は印刷条件設定プログラム２０４によって起動されると印刷制御ブロック６０１の６０６から文書管理データを読みだし、その内容に従って適当な印刷プログラム２０１を起動する。印刷プログラム２０１は印刷管理プログラム２０３から指示されたファイル名でデータファイル３４０を読みだし、印刷制御プログラム２０６に対して印刷コマンドをレーザプリンタ１０４に転送するファンクションを発行する。
　印刷コマンドは第１１図（ａ）の１１００に示すようにコマンド１１００ａとパラメータ１１００ｂからなる。たとえば直線の場合描画コマンドは、同図（ｂ）の１１０１のように直線を示すコマンド１１０１ａと始点ｘ座標、始点ｙ座標、終点ｘ座標、終点ｙ座標の四つのパラメータ１１０１ｂからなる。同図（ｃ）の１１０２にはテキスト描画のコマンドが示されている。
　印刷制御プログラム２０６は、レーザプリンタドライバ２０９を介してレーザプリンタ１０４のコントローラ部２１０に印刷コマンドを転送する。コントローラ部２１０は転送されてきた印刷コマンドに基づき、頁メモリ６５０に１頁の印刷イメージを展開する。頁メモリ６５０に展開された印刷イメージは、レーザプリンタエンジン２１１によって印刷される。
　
　これらの記載によれば、刊行物１には、次の発明（以下、「刊行物１記載発明」という。）が記載されていると認められる。
　
　ワードプロセッサやパーソナルコンピュータ等にも適用することができる、低速で安価なワイヤドットプリンタ１０３と高速なレーザプリンタ１０４の２種類のプリンタをサポートする印刷処理システムにおいて、
　ワードプロセッサやパーソナルコンピュータ等は、
　テキスト、図形、グラフなど各アプリケーションに依存し、対応する編集プログラムのデータから、ＯＳ（オペレーティングシステム）が用意する印刷用コマンドを発生し、印刷制御プログラム２０６に対して、コマンド１１００ａとパラメータ１１００ｂからなる印刷コマンドをレーザプリンタ１０４に転送するファンクションを発行する印刷プログラム２０１と、
　ワイヤドットプリンタ１０３を制御するワイヤドットプリンタドライバ２０８と、
　レーザプリンタ１０４を制御するレーザプリンタドライバ２０９と、
　基本的なタスク制御や入出力制御などを行うカーネル部２０７と、上述した印刷用コマンドからドットイメージを発生させるなどの印刷処理特有の機能を実現し、レーザプリンタドライバ２０９を介してレーザプリンタ１０４のコントローラ部２１０に印刷コマンドを転送する印刷制御プログラム２０６に別れるＯＳ２０５と
　を有し、
　レーザプリンタ１０４は、
　実際の印字を行うレーザプリンタエンジン２１１と、
　ワードプロセッサやパーソナルコンピュータ等と通信を行い、ワードプロセッサやパーソナルコンピュータ等から転送されてきた印刷コマンドに基づき、頁メモリ６５０に展開された１頁の印刷イメージをレーザプリンタエンジン２１１に転送し、レーザプリンタエンジン２１１が印刷するように制御するコントローラ部２１０と
　を有する印刷処理システム。
　
　また、取消理由通知書で引用した特開昭６４−６７３５４号公報（異議申立人小湊勇次の提出した甲第２号証。以下、「刊行物２」という。）には、次の記載がある。
　
イ）第３頁左上欄第１０行〜同頁右上欄第１１行
　［作用］
　本発明では、第１図に示す如く、各種インタフェースから入力されたデータストリームを入力管理部１０が共通のフォーマットに変換し、これを展開管理部２０が所望の印刷パターンに展開する。出力管理部３０は、展開された印刷パターンを各種印刷機構部に対応させて出力する。
　各管理部１０、２０、３０はシリアルかつ変換可能に接続され、データを所望の印刷パターンに展開する展開管理部２０と入力管理部１０／出力管理部３０との間の内部インタフェースを規定しておき、外部のインタフェースや印刷機構部が変更されても、入力管理部１０又は出力管理部３０のみを変換するだけで対応する。これは、各管理部１０、２０、３０がそれぞれ専用のプロセッサ１１、２１、３１及びファームウェア１２、２２、３２を備えていることにより、各部が独立できることと、メインプロセッサが全面管理する場合のようにデータを往復させるのでなく、分割管理でデータをシリアルに流すことにより、切離し可能になるのである。
　
ロ）第３頁右上欄第１２行〜同欄第１８行
　［実施例］
　以下、図面を参照して、本発明の実施例を詳細に説明する。
　第２図は、本発明を実施した印刷装置の制御部の一例を示す構成図である。図において、制御部は入力管理部１０と展開管理部２０と出力管理部３０とから成る。
　
ハ）第３頁左下欄第１８行〜同頁右下欄第２０行
　入力管理部１０のバスにはホストインタフェースへのチャネルコントローラ６が連結され、出力管理部３０のバスには印刷機構部へのプリンタコントローラ８が接続されている。
　入力管理部１０は、各種のインタフェース、例えばセントロニクス、ＲＳ−２３２Ｃ、ＩＢＭチャネルなどから入力されるデータストリームを本実施例の装置内に共通するフォーマットに書き直すもので、データは第１のデータメモリ１３へ格納し、命令などは第１のデュアルポートメモリ１４へ格納する。コマンド体系も各種のインタフェースによって異なっているので、共通の体系に変換する必要がある。変換の照合はコントロールストレージ１２に格納されたテーブルにより、相手のインタフェースが変更されると当然コントロールストレージ１２も変換されるが、プロセッサ１１は、例えばパソコン用のように小規模の場合は汎用でもよく、制御部の規模が大きい場合はプログラムが膨大かつ複雑になり過ぎるので各種のインタフェース毎に変換するものとする。いずれにせよ第１のデータメモリ１３及び第１のデュアルポートメモリ１４の内容は、必ず同一のフォーマットで格納されることになる。
　
　これらの記載によれば、刊行物２には、次の発明（以下、「刊行物２記載発明」という。）が記載されていると認められる。
　
　印刷装置の制御部は、
　ホストインタフェースへのチャネルコントローラ６が連結され、セントロニクス、ＲＳ−２３２Ｃ、ＩＢＭチャネルなどの各種インタフェースから入力されるデータストリームを共通のフォーマットに変換する入力管理部１０と、
　所望の印刷パターンに展開する展開管理部２０と、
　展開された印刷パターンを各種印刷機構部に対応させて出力する出力管理部３０と有し、
　展開管理部２０と入力管理部１０との間の内部インタフェースを規定しておき、外部のインタフェースが変更されても、入力管理部１０のみを変換するだけで対応する印刷装置の制御部。
　
　また、取消理由通知書で引用した特開平１−１４０３２８号公報（異議申立人小湊勇次の提出した甲第３号証。以下、「刊行物３」という。）には、次の記載がある。
　
イ）第１頁右下欄第５行〜第２頁左上欄１２行
　［従来の技術］
　第５図は従来の計算機システムを示すブロック接続図であり、図において、１は処理結果を印字コードとして出力する計算機、２は計算機１からの印字コードにより印字を行う印字装置である。
　また、第６図は印字装置２の内部構成を示すブロック接続図であり、３は計算機１よりセントロニクスまたはＲＳ−２３２Ｃのどちらか一方のインターフェイスにて印字コードを受信する印字コード受信部、４は受信した印字コードを格納する印字コード格納部、５は印字コード格納部４に格納したコードをどのように印字するかを制御する印字コード処理部、６は印字コード処理部５で処理した内容を印字する印字部である。
　次に動作について説明する。計算機１により計算処理された出力の内容は印字装置２に入力され、この印字装置２にて印字を行う。この時の計算機１と印字装置２のインターフェイスはセントロニクスかＲＳ−２３２Ｃのどちらか一方によるインターフェイスである。印字装置２の内部ではセントロニクスまたはＲＳ−２３２Ｃどちらか一方のインターフェイス仕様により、印字コード受信部３にて印字コードが受信される。そしてこの印字コードは一時印字コード格納部４にてバッファされ、印字コード処理部５にて印字コードを１つずつ処理し、印字可能な状態にする。これにより印字部６では印字を行い、計算機１の出力結果を表示する。
　
ロ）第２頁左下欄第７行〜同欄第１８行
　［実施例］
　以下、この発明の一実施例を図において説明する。第１図において、９はセントロニクスとＲＳ−２３２Ｃの各インターフェイスを持ち、印字コードを出力する計算機、１０はセントロニクスとＲＳ−２３２Ｃの各インターフェイスを持つ印字装置である。また、この印字装置１０において、１１はセントロニクスインターフェイスによる印字コード受信部、１２はＲＳ−２３２Ｃインターフェイスによる印字コード受信部、４〜６は従来の印字装置と同様の回路で、それぞれ印字コード格納部、印字コード処理部、印字部である。
　
ハ）第２頁右下欄第３行〜第３頁右上欄第１８行
　次に動作について説明する。まず、印字装置１０のインターフェイス接続部７、８を利用して計算機９と印字装置１０とを第１図に示すように接続する。いま、計算機９からセントロニクス及びＲＳ−２３２Ｃの各インターフェイスにて印字コードが出力されると、印字装置１０はそれぞれのインターフェイスにて印字コードを受信する。すなわち、セントロニクスインターフェイスの印字コードはセントロニクスインターフェイス印字コード受信部１１で、ＲＳ−２３２Ｃインターフェイスの印字コードはＲＳ−２３２Ｃインターフェイス印字コード受信部１２にてそれぞれ受信される。このようにして受信された印字コードは印字コード格納部４に格納されるが、セントロニクスとＲＳ−２３２Ｃの各インターフェイスでの印字コードが混在しないようにするために、先に印字コードを受信したインターフェイス印字コード受信部１１または１２では他のインターフェイス印字コード受信部１２または１１に受信中であることを告げ、それを受けたインターフェイス印字コード受信部１２または１１が計算機９に対しビジーであることを告げて、印字コードの送信を待つようにする。それにより、セントロニクスインターフェイスとＲＳ−２３２Ｃインターフェイスの印字コードを混在しないように制御している。…（中略）…そして、この印字コード格納部４、印字コード処理部５、印字部６では、上記従来の印字装置２と同様の印字コードの処理を実行し、印字するように動作する。
　
ニ）第３頁左下欄第７行〜同欄第１６行
　〔発明の効果〕
　以上のように、この発明によれば、セントロニクスとＲＳ−２３２Ｃの各インターフェイスに対応できるセントロニクスインターフェイス印字コード受信部およびＲＳ−２３２Ｃインターフェイス印字コード受信部を計算機に接続できるように構成したので、印字装置の各インターフェイスに対する流用性が高くなり、新たなハードウェアの追加の必要なく、ローコストにて印字コードの印字出力を実現できるものが得られる効果がある。
　
　これらの記載によれば、刊行物３には、次の発明（以下、「刊行物３記載発明」という。）が記載されていると認められる。
　
　計算機９は、セントロニクス及びＲＳ−２３２Ｃの各インターフェイスを有し、
　印字装置２は、
　計算機９から出力されるセントロニクスインターフェイスの印字コードを受信するセントロニクスインターフェイス印字コード受信部１１と、ＲＳ−２３２Ｃインターフェイスの印字コードを受信するＲＳ−２３２Ｃインターフェイス印字コード受信部１２と、
　セントロニクスとＲＳ−２３２Ｃのどちら一方のインターフェイス仕様により受信した印字コードを格納する印字コード格納部４と、
　印字コード格納部４に格納したコードをどのように印字するかを制御する印字コード処理部５と、
　印字コード処理部５で処理した内容を印字する印字部６とを有し、
　新たなハードウェアの追加の必要なく、セントロニクスとＲＳ−２３２Ｃの各インターフェイスに対応できる計算機システム。
　
（３）本件発明１についての対比・判断
（３―１）対比
　本件発明１と刊行物１記載発明とを対比すると、刊行物１記載発明の「ワードプロセッサやパーソナルコンピュータ等にも適用することができる、低速で安価なワイヤドットプリンタ１０３と高速なレーザプリンタ１０４の２種類のプリンタをサポートする印刷処理システム」、「コマンド１１００ａとパラメータ１１００ｂからなる印刷コマンド」、「ＯＳ２０５」、「レーザプリンタドライバ２０９」は、それぞれ、本件発明１の「ホストコンピュータと印刷装置から構成される印刷システム」、「印刷制御用データと印刷データからなる印刷情報データ」、「ホストコンピュータデータ処理部」、「ホストコンピュータインターフェース制御部」に相当している。
　また、刊行物１記載発明の「コントローラ部２１０」は、ワードプロセッサ２００から転送されてきた印刷コマンドに基づき、頁メモリ６５０に展開された１頁の印刷イメージをレーザプリンタエンジン２１１に転送し、レーザプリンタエンジン２１１が印刷するように制御するから、「前記印刷情報データを受信する印刷装置インターフェース制御部」と「前記印刷装置インターフェース制御部が受信した前記印刷情報データに基づき印刷制御を行う印刷装置データ処理部」とを兼ねたものである。
　さらに、刊行物１記載発明において、レーザプリンタドライバ２０９を介してレーザプリンタ１０４のコントローラ部２１０に印刷コマンドを転送しているから、レーザプリンタドライバ２０９とコントローラ部２１０との間に何らかの転送方式があって、その転送方式がワードプロセッサやパーソナルコンピュータ等と、高速なレーザプリンタ１０４との間の接続方式に対応していることは技術常識である。
　
　したがって、本件発明１と刊行物１記載発明との一致点及び相違点は、次のとおりである。
　
一致点：
　ホストコンピュータと印刷装置から構成される印刷システムにおいて、
　前記ホストコンピュータは、
　印刷制御用データと印刷データからなる印刷情報データを生成して出力するホストコンピュータデータ処理部と、
　前記ホストコンピュータデータ処理部から出力された前記印刷情報データを受信して該印刷情報データをホストコンピュータと印刷装置の接続方式に対応した転送方式で前記印刷装置に転送するホストコンピュータインターフェース制御部とを有し、
　前記印刷装置は、
　前記ホストコンピュータインターフェース制御部から前記接続方式に対応した転送方式で転送されてきた前記印刷情報データを受信し、受信した前記印刷情報データに基づき印刷制御を行う印刷システムである点。
　
相違点：
　本件発明１では、印刷装置は、印刷装置インターフェース制御部と印刷装置データ処理部とを有し、ホストコンピュータデータ処理部と印刷装置データ処理部とが、ホストコンピュータと印刷装置の接続方式について共通であって、ホストコンピュータインターフェース制御部と印刷装置インターフェース制御部とが、ホストコンピュータと印刷装置の接続方式によって異なるのに対して、
　刊行物１記載発明では、印刷装置が印刷装置インターフェース制御部と印刷装置データ処理部とを有していることや、ホストコンピュータデータ処理部、印刷装置データ処理部、ホストコンピュータインターフェース制御部、印刷装置インターフェース制御部のうち、どれが、ホストコンピュータと印刷装置の接続方式について共通で、どれが異なるのかが明らかでない点。
　
（３−２）判断
　刊行物２記載発明の「ホストインタフェース」、刊行物３記載発明の計算機９の有する「セントロニクス及びＲＳ−２３２Ｃの各インターフェース」は、本件発明１の「ホストコンピュータインターフェース制御部」に相当し、
　刊行物２記載発明の「セントロニクス、ＲＳ−２３２Ｃ、ＩＢＭチャネルなどの各種インタフェースから入力されるデータストリームを共通のフォーマットに変換する入力管理部１０」、刊行物３記載発明の「セントロニクスインターフェイス印字コード受信部１１とＲＳ−２３２Ｃインターフェース印字コード受信部１２」は、本件発明１の「印刷装置インターフェース制御部」に相当し、
　刊行物２記載発明の「所望の印刷パターンに展開する展開管理部２０」、刊行物３記載発明の「印字コード処理部５」は、本件発明１の「印刷装置データ処理部」に相当している。
　また、刊行物２記載発明は、展開管理部２０と入力管理部１０との間の内部インタフェースを規定しておき、外部のインタフェースが変更されても、展開管理部２０は共通で入力管理部１０のみを変換するだけで対応するから、本件の特許請求の範囲で用いている用語で表現すると、印刷装置データ処理部が、ホストコンピュータと印刷装置の接続方式について共通であって、ホストコンピュータインターフェース制御部と印刷装置インターフェース制御部とが、ホストコンピュータと印刷装置の接続方式によって異なるようにすることで、外部のインタフェースが変更されても、ホストコンピュータインターフェース制御部と印刷装置インターフェース制御部を切り換えるだけで対応できると認められる。
　さらに、刊行物３記載発明も、新たなハードウェアの追加の必要なく、計算機９の有するセントロニクスとＲＳ−２３２Ｃの各インタフェースに「印字コード処理部５」が共通に対応できるから、本件の特許請求の範囲で用いている用語で表現すると、印刷装置データ処理部が、ホストコンピュータと印刷装置の接続方式について共通であって、ホストコンピュータインターフェース制御部と印刷装置インターフェース制御部とが、ホストコンピュータと印刷装置の接続方式によって異なるようにすることで、外部のインタフェースが変更されても、ホストコンピュータインターフェース制御部と印刷装置インターフェース制御部を切り換えるだけで対応できると認められる。
　これらの刊行物２記載発明や刊行物３記載発明等を参照すれば、次のような技術が周知であることは明らかである。
　
　印刷装置インターフェース制御部と印刷装置データ処理部とを有する印刷装置において、印刷装置データ処理部が、ホストコンピュータと印刷装置の接続方式について共通であって、ホストコンピュータインターフェース制御部と印刷装置インターフェース制御部とが、ホストコンピュータと印刷装置の接続方式によって異なるようにすることで、外部のインタフェースが変更されても、ホストコンピュータインターフェース制御部と印刷装置インターフェース制御部を切り換えるだけで対応できる技術。
　
　そうすると、刊行物１記載発明において、「印刷装置インターフェース制御部」と「印刷装置データ処理部」とを兼ねていた「コントローラ部２１０」を、上記周知技術のように、「印刷装置インターフェース制御部」と「印刷装置データ処理部」とに分離し、さらに、外部のインタフェースが変更されても、ホストコンピュータインターフェース制御部と印刷装置インターフェース制御部を切り換えるだけで対応するために、印刷装置データ処理部とが、ホストコンピュータと印刷装置の接続方式について共通であって、ホストコンピュータインターフェース制御部と印刷装置インターフェース制御部とが、ホストコンピュータと印刷装置の接続方式によって異なるようにすることは、当業者が適宜なし得る設計事項にすぎない。
　そして、刊行物１記載発明において、ＯＳ２０５は、ワイヤドットプリンタドライバ２０８とレーザプリンタドライバ２０９を介して、低速で安価なワイヤドットプリンタ１０３と高速なレーザプリンタ１０４の２種類のプリンタを制御している、つまり、印刷装置が異なる場合について、ＯＳ２０５をそのまま使えるから、刊行物１記載発明のＯＳ２０５（本件発明１の「ホストコンピュータデータ処理部」に相当）を、ホストコンピュータと印刷装置の接続方式が異なる場合についても、そのまま使えるように、つまりホストコンピュータと印刷装置の接続方式についても共通にすることは、当業者が容易になし得ることである。
　
　したがって、本件発明１は、刊行物１記載発明ないし刊行物３記載発明に基づいて当業者が容易になし得るものである。
　
（４）本件発明２についての対比・判断
（４−１）対比
　本件発明２と刊行物１記載発明とを対比すると、刊行物１記載発明の「ワードプロセッサやパーソナルコンピュータ等」、「コマンド１１００ａとパラメータ１１００ｂからなる印刷コマンド」、「ＯＳ２０５」、「レーザプリンタドライバ２０９」は、それぞれ、本件発明２の「ホストコンピュータ」、「印刷制御用データと印刷データからなる印刷情報データ」、「データ処理部」、「インターフェース制御部」に相当している。
　また、刊行物１記載発明において、レーザプリンタドライバ２０９を介してレーザプリンタ１０４のコントローラ部２１０に印刷コマンドを転送しているから、レーザプリンタドライバ２０９とコントローラ部２１０との間に何らかの転送方式があって、その転送方式がワードプロセッサやパーソナルコンピュータ等と、高速なレーザプリンタ１０４との間の接続方式に対応していることは技術常識である。
　
　したがって、本件発明２と刊行物１記載発明との一致点及び相違点は、次のとおりである。
　
一致点：
　印刷装置と接続されるホストコンピュータであって、
　印刷制御用データと印刷データからなる印刷情報データを生成して出力するデータ処理部と、
　前記データ処理部から出力された前記印刷情報データを受信して該印刷情報データをデータホストコンピュータと印刷装置の接続方式に対応した転送方式で転送されてきた前記印刷装置に転送するインターフェース制御部と
　を有するホストコンピュータである点。
　
相違点：
　本件発明２では、コンピュータデータ処理部が、ホストコンピュータと印刷装置の接続方式について共通であって、インターフェース制御部が、ホストコンピュータと印刷装置の接続方式によって異なるのに対して、
　刊行物１記載発明では、データ処理部、インターフェース制御部のうち、ホストコンピュータと印刷装置の接続方式についてどちらが共通で、どちらが異なるのかが明らかでない点。
　
（４−２）判断
　上記「（３−２）判断」の項で検討したように、印刷装置インターフェース制御部と印刷装置データ処理部とを有する印刷装置において、印刷装置データ処理部が、ホストコンピュータと印刷装置の接続方式について共通であって、ホストコンピュータインターフェース制御部と印刷装置インターフェース制御部とが、ホストコンピュータと印刷装置の接続方式によって異なるようにすることで、外部のインタフェースが変更されても、ホストコンピュータインターフェース制御部と印刷装置インターフェース制御部を切り換えるだけで対応できる技術は周知である。
　そうすると、刊行物１記載発明において、外部のインタフェースが変更されても、インターフェース制御部を切り換えるだけで対応するために、上記周知技術のように、インターフェース制御部が、ホストコンピュータと印刷装置の接続方式によって異なるようにすることは、当業者が適宜なし得る設計事項にすぎない。
　そして、上記「（３−２）判断」の項で検討したように、刊行物１記載発明において、ホストコンピュータデータ処理部は、印刷装置が異なる場合について、そのまま使えるから、刊行物１記載発明のホストコンピュータデータ処理部を、ホストコンピュータと印刷装置の接続方式が異なる場合についても、そのまま使えるように、つまりホストコンピュータと印刷装置の接続方式について共通にすることは、当業者が容易になし得ることである。
　
　したがって、本件発明２は、刊行物１記載発明ないし刊行物３記載発明に基づいて当業者が容易になし得るものである。
　
（５）本件発明３についての対比・判断
（５−１）対比
　本件発明３と刊行物１記載発明とを対比すると、刊行物１記載発明の「高速なレーザプリンタ１０４」、「コマンド１１００ａとパラメータ１１００ｂからなる印刷コマンド」は、それぞれ、本件発明３の「ホストコンピュータと接続される印刷装置」、「印刷制御用データと印刷データからなる印刷情報データ」に相当している。
　また、刊行物１記載発明の「コントローラ部２１０」は、ワードプロセッサ２００から転送されてきた印刷コマンドに基づき、頁メモリ６５０に展開された１頁の印刷イメージをレーザプリンタエンジン２１１に転送し、レーザプリンタエンジン２１１が印刷するように制御するから、「前記印刷情報データを受信するインターフェース制御部」と「前記インターフェース制御部が受信した前記印刷情報データに基づき印刷制御を行う印刷装置データ処理部」とを兼ねたものである。
　さらに、刊行物１記載発明において、レーザプリンタドライバ２０９を介してレーザプリンタ１０４のコントローラ部２１０に印刷コマンドを転送しているから、レーザプリンタドライバ２０９とコントローラ部２１０との間に何らかの転送方式があって、その転送方式がワードプロセッサやパーソナルコンピュータ等と、高速なレーザプリンタ１０４との間の接続方式に対応していることは技術常識である。
　
　したがって、本件発明３と刊行物１記載発明との一致点及び相違点は、次のとおりである。
　
一致点：
　ホストコンピュータと接続される印刷装置であって、
　ホストコンピュータから印刷装置とホストコンピュータの接続方式に対応した転送方式で転送されてきた印刷制御用データと印刷データからなる印刷情報データを受信し、受信した前記印刷情報データに基づき印刷制御を行う印刷装置である点。
　
相違点：
　本件発明３は、インターフェース制御部と印刷装置データ処理部とを有し、印刷装置データ処理部が、印刷装置とホストコンピュータの接続方式について共通であって、インターフェース制御部が、印刷装置とホストコンピュータの接続方式によって異なるのに対して、
　刊行物１記載発明では、インターフェース制御部と印刷装置データ処理部とを有しており、印刷装置データ処理部、インターフェース制御部のうち、印刷装置とホストコンピュータの接続方式についてどちらが共通で、どちらが異なるのかが明らかでない点。
　
（５−２）判断
　上記「（３−２）判断」の項で検討したように、印刷装置インターフェース制御部と印刷装置データ処理部とを有する印刷装置において、印刷装置データ処理部が、ホストコンピュータと印刷装置の接続方式について共通であって、ホストコンピュータインターフェース制御部と印刷装置インターフェース制御部とが、ホストコンピュータと印刷装置の接続方式によって異なるようにすることで、外部のインタフェースが変更されても、ホストコンピュータインターフェース制御部と印刷装置インターフェース制御部を切り換えるだけで対応できる技術は周知である。
　そうすると、刊行物１記載発明において、「インターフェース制御部」と「印刷装置データ処理部」とを兼ねていた「コントローラ部２１０」を、上記周知技術のように、「印刷装置インターフェース制御部」と「印刷装置データ処理部」とに分離し、さらに、外部のインタフェースが変更されても、インターフェース制御部を切り換えるだけで対応するために、上記周知技術のように、印刷装置データ処理部が、ホストコンピュータと印刷装置の接続方式について共通であって、インターフェース制御部が、印刷装置とホストコンピュータの接続方式によって異なるようにすることは、当業者が適宜なし得る設計事項にすぎない。
　
　したがって、本件発明３は、刊行物１記載発明ないし刊行物３記載発明に基づいて当業者が容易になし得るものである。
　
（６）むすび
　以上のとおりであるから、本件発明１ないし本件発明３は、特許法第２９条第２項の規定により特許を受けることができない。
　したがって、本件発明１ないし本件発明３についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年９月１４日（２００５．９．１４）
【訂正の要旨】
審決（決定）の【理由】欄参照。
（５４）【発明の名称】
印刷システム
（５７）【特許請求の範囲】
　【請求項１】ホストコンピュータと印刷装置から構成される印刷システムにおいて、
　前記ホストコンピュータは、
　ホストコンピュータと印刷装置の接続方式について共通であって、印刷制御用データと印刷データからなる印刷情報データを生成して出力するホストコンピュータデータ処理部と、
　ホストコンピュータと印刷装置の接続方式によって異なり、前記ホストコンピュータデータ処理部から出力された前記印刷情報データを受信して
該印刷情報データを前記接続方式に対応した転送方式で
　を有し、
　前記印刷装置は、
　ホストコンピュータと印刷装置の接続方式によって異なり、前記ホストコンピュータインターフェース制御部から
前記接続方式に対応した転送方式で
　ホストコンピュータと印刷装置の接続方式について共通であって、前記印刷装置インターフェース制御部が受信した前記印刷情報データに基づき印刷制御を行う印刷装置データ処理部と
　を有することを特徴とする印刷システム。
　【請求項２】印刷装置と接続されるホストコンピュータであって、
　ホストコンピュータと印刷装置の接続方式について共通であって、印刷制御用データと印刷データからなる印刷情報データを生成して出力するデータ処理部と、
　ホストコンピュータと印刷装置の接続方式によって異なり、前記データ処理部から出力された前記印刷情報データを受信して
該印刷情報データを前記接続方式に対応した転送方式で
　を有することを特徴とするホストコンピュータ。
　【請求項３】ホストコンピュータと接続される印刷装置であって、
　印刷装置とホストコンピュータの接続方式によって異なり、ホストコンピュータから
前記接続方式に対応した転送方式で
　印刷装置とホストコンピュータの接続方式について共通であって、前記インターフェース制御部が受信した前記印刷情報データに基づき印刷制御を行う印刷装置データ処理部と
　を有することを特徴とする印刷装置。
【発明の詳細な説明】
　【０００１】
　【産業上の利用分野】
　本発明は、印刷データを生成するホストコンピュータとこれに接続される印刷装置から構成される印刷システムに関するものである。
　【０００２】
　【従来の技術】
　図７はホストコンピュータとプリンタとの接続方式の多様性を説明するための図、図８は従来の印刷システムの構成例を示す図、図９は印刷装置との接続方式が異なる場合におけるホストコンピュータの書き出しプログラムの構成例を説明するための図である。
　【０００３】
　最近のコンピュータと通信の技術の進展に伴い、図７に示すようにコンピュータ３１と印刷装置３３〜３６の接続方式に関してもチャネル制御を採用したインタフェース４１やＬＡＮを採用したインタフェース４２、ＭＯＤＥＭを採用したインタフェース４３、他のコンピュータ３２を介して構成されるインタフェース４４のように様々な接続方式が提供されている。ここでホストコンピュータ３１で生成された印刷データは、勿論どの印刷装置３３〜３６にも出力可能であるように構成されているが、それぞれの印刷装置３３〜３６との接続方式が異なると、印刷装置３３〜３６の制御方式も異なる。そのため、ホストコンピュータ３１には、図８に示すように各接続方式に対応した書き出しプログラム（ライタ）５１〜５４が必要である。また、印刷装置３３〜３６においても各接続方式に対応した印刷処理プログラムが必要である。
　【０００４】
　【発明が解決しようとする課題】
　上記のように従来の印刷システムでは、書き出しプログラム、印刷処理プログラムが各接続方式ごとに個別に提供されていたため以下のような２つの問題があった。
　【０００５】
　１つは、図９（ａ）に示すように印刷制御情報をロードして印刷データを出力するというように、ある印刷装置に出力するために生成された印刷データを別の印刷装置に出力したい場合、当該別の印刷装置との接続方式に適合したデータ形式に印刷データを変換する必要があり、これを行うために図９（ｂ）に示すような印刷制御情報をもとに印刷データを再構築して印刷データを出力するというように、ホストコンピュータに多大な負荷がかかることである。
　【０００６】
　もう１つは、印刷制御方式が接続方式によって異なり、機能も異なるため、同一の印刷資源を使って同一の印刷データを出力した場合でも、図８に示すように各印刷装置３３〜３６からの出力結果Ｑ１〜Ｑ４が全く同一のものとして得られるとは限らない。すなわち互換出力が保証できないことである。
　【０００７】
　本発明は、前記した従来技術の欠点を除去し、ホストコンピュータの負担を軽減しかつ容易にどの接続方式の印刷装置に対しても印刷の互換出力を保証できる印刷システムを提供することを目的としたものである。
　【０００８】
　【課題を解決するための手段】
　そのために本発明は、ホストコンピュータと印刷装置から構成される印刷システムにおいて、前記ホストコンピュータは、ホストコンピュータと印刷装置の接続方式について共通であって、印刷制御用データと印刷データからなる印刷情報データを生成して出力するホストコンピュータデータ処理部と、ホストコンピュータと印刷装置の接続方式によって異なり、前記ホストコンピュータデータ処理部から出力された前記印刷情報データを受信して前記印刷装置に転送するホストコンピュータインターフェース制御部とを有し、前記印刷装置は、ホストコンピュータと印刷装置の接続方式によって異なり、前記ホストコンピュータインターフェース制御部から転送されてきた前記印刷情報データを受信する印刷装置インターフェース制御部と、ホストコンピュータと印刷装置の接続方式について共通であって、前記印刷装置インターフェース制御部が受信した前記印刷情報データに基づき印刷制御を行う印刷装置データ処理部とを有することを特徴とするものである。
　【０００９】
　【作用】
　本発明の印刷システムでは、ホストコンピュータは、ホストコンピュータと印刷装置の接続方式について共通であって、印刷制御用データと印刷データからなる印刷情報データを生成して出力するホストコンピュータデータ処理部と、ホストコンピュータと印刷装置の接続方式によって異なり、前記ホストコンピュータデータ処理部から出力された前記印刷情報データを受信して前記印刷装置に転送するホストコンピュータインターフェース制御部とを有し、印刷装置は、ホストコンピュータと印刷装置の接続方式によって異なり、前記ホストコンピュータインターフェース制御部から転送されてきた前記印刷情報データを受信する印刷装置インターフェース制御部と、ホストコンピュータと印刷装置の接続方式について共通であって、前記印刷装置インターフェース制御部が受信した前記印刷情報データに基づき印刷制御を行う印刷装置データ処理部とを有するので、ホストコンピュータに多大な負荷をかけることなく様々な方式で接続された印刷装置に互換出力することが可能となる。
　【００１０】
　【実施例】
　以下、本発明の実施例を図面を参照しつつ説明する。図１は本発明に係る印刷システムの１実施例を示す図、図２は本発明に係る印刷システムで使用される印刷情報データの例を示す図である。
　【００１１】
　図１において、ホストコンピュータでは、アプリケーションプログラム１で印刷データが作成されると、指定された印刷制御パラメータと共に印刷データがスプールファイル２の待ち行列に登録される。書き出しプログラム３は、スプールファイル２の待ち行列に登録された印刷データと印刷制御パラメータを読み込むと、印刷制御パラメータから印刷制御用データを展開して図２に示すように印刷データと指定された印刷制御用データをひとかたまりの印刷情報データとして構成し、データ転送の形でＩ／Ｆ制御回路４に出力する。
　【００１２】
　印刷情報データは、図２に示すように印刷制御データインデックス、長さ、印刷制御データからなる複数の印刷制御用データとそれに続く印刷データがひとかたまりで構成されたものである。
　【００１３】
　印刷装置では、データ受信プログラム６でＩ／Ｆ制御回路５を通して図２に示すような印刷情報データを受信すると、このひとかたまりになった印刷情報データを印刷制御データと印刷データに分離して処理して印刷制御部７に送る。
　【００１４】
　図３はホストコンピュータの書き出しプログラムの構成例を示す図、図４は印刷装置のデータ受信プログラムの構成例を示す図、図５は書き出しプログラムのデータ処理部による処理の流れを説明するための図、図６はデータ受信プログラムのデータ処理部による処理の流れを説明するための図である。
　【００１５】
　ホストコンピュータ上の書き出しプログラムは、図３に示すようにデータ処理部１３とＩ／Ｆ制御部１４に分かれ、データ処理部１３でスプールファイル１１から印刷制御パラメータと印刷データを読み込むと、印刷制御パラメータの場合にはその印刷制御パラメータに基づきパラメータライブラリ１２から印刷制御データインデックス、印刷制御データ、長さ等を読み込んでバッファにセットし、Ｉ／Ｆ制御部１４にＷＲＩＴＥする。このようにデータ処理部１３は、全接続方式について共通で印刷データと指定された印刷制御用データをひとかたまりの印刷情報データに構成してデータ転送の形で出力し、Ｉ／Ｆ制御部３は、ホストコンピュータ上の書き出しプログラムにおいて各接続方式によって異なるがデータ処理部１４とは共通なインターフェースを有するものである。したがって、データ処理部１３とＩ／Ｆ制御部１４とのインタフェースは、すべてＰＵＴやＷＲＩＴＥあるいはＳＥＮＤのような標準的なコマンドにより行われ、印刷データと印刷制御用データがひとかたまりになった印刷情報データがＩ／Ｆ制御部１４からＩ／Ｆ制御回路１５へ出力される。
　【００１６】
　印刷装置のデータ受信プログラムは、図４に示すようにＩ／Ｆ制御部２２とデータ処理部２３に分かれ、Ｉ／Ｆ制御部２２は、各接続方式によって異なるがデータ処理部
２３
　【００１７】
　次に書き出しプログラムのデータ処理部及びデータ受信プログラムのデータ処理部による処理の流れを図５、図６を用いて説明する。
　【００１８】
　書き出しプログラムのデータ処理部１３では、図５のフローチャートに示すようにまず、スプールファイルをオープンすると（ステップＳ１）、印刷制御パラメータを検出し、印刷制御データインデックス、印刷制御データ、印刷制御データの長さをそれぞれバッファにセットしてバッファの内容をＩ／Ｆ制御部にＷＲＩＴＥする（ステップＳ２〜Ｓ６）。
　【００１９】
　制御データがなくなるまでステップＳ２に戻って同様の処理を繰り返し行い、全ての制御データの処理が終わると（ステップＳ７）、印刷データインデックスをバッファにセットした後、印刷データをバッファにセットしてその内容をＩ／Ｆ制御部にＷＲＩＴＥする（ステップＳ８〜Ｓ１０）。
　【００２０】
　印刷データがなくなるまでステップＳ９に戻って同様の処理を繰り返し行い、全ての印刷データの処理が終わると（ステップＳ１１）、スプールファイルをクローズして（ステップＳ１２）、処理を終了する。
　【００２１】
　このように書き出しプログラムのデータ処理部
１３
　【００２２】
　また、データ受信プログラムのデータ処理部
２３
　【００２３】
　制御データの場合には、該当制御データ処理プログラムをコールする（ステップＳ２５）。さらに制御データがあれば、次の制御データをＲＥＡＤしてステップＳ２５に戻って同様の処理を繰り返し行い（ステップＳ２６〜Ｓ２７）、現制御データの処理が終わればステップＳ２２に戻る（ステップＳ２６）。
　【００２４】
　ステップＳ２４の判断処理で制御データでない場合には、受信した印字データをフォーマッティングし、そのデータを印字制御部に出力する（ステップＳ２８〜Ｓ２９）。さらに印字データがあれば、次の印字データをＲＥＡＤしてステップＳ２８に戻って同様の処理を繰り返し行い（ステップＳ３０〜Ｓ３１）、印字データが終わりであれば処理を終了する（ステップＳ３０）。
　【００２５】
　このようにデータ受信プログラムのデータ処理部
２３
　【００２６】
　なお、本発明は、上記の実施例に限定されるものではなく、種々の変形が可能である。例えば上記実施例では、書き出しプログラムが図２に示す印刷情報データを生成しながらＩ／Ｆ制御回路に出力したが、アプリケーションプログラムの出力側に印刷情報データの生成し登録する印刷情報データ登録手段を設け、この印刷情報データ登録手段を使って、アプリケーションプログラムの出力する印刷データと指定された印刷制御データをもとに図２に示す印刷情報データを生成し、これを一旦スプールファイルの印刷待ち行列に登録するように構成することにより、従来の書き出しプログラムをそのまま使用して互換出力することも可能である。この場合、印刷データと印刷制御データを単に合成するだけなので従来のように印刷データを再構成するのと比較して、ホストコンピュータの負担を軽減することができる。
　【００２７】
　【発明の効果】
　以上の説明から明らかなように、本発明によれば、ホストコンピュータは、ホストコンピュータと印刷装置の接続方式について共通であって、印刷制御用データと印刷データからなる印刷情報データを生成して出力するホストコンピュータデータ処理部と、ホストコンピュータと印刷装置の接続方式によって異なり、前記ホストコンピュータデータ処理部から出力された前記印刷情報データを受信して前記印刷装置に転送するホストコンピュータインターフェース制御部とを有し、印刷装置は、ホストコンピュータと印刷装置の接続方式によって異なり、前記ホストコンピュータインターフェース制御部から転送されてきた前記印刷情報データを受信する印刷装置インターフェース制御部と、ホストコンピュータと印刷装置の接続方式について共通であって、前記印刷装置インターフェース制御部が受信した前記印刷情報データに基づき印刷制御を行う印刷装置データ処理部とを有するので、ホストコンピュータに多大な負荷をかけることなく様々な方式で接続された印刷装置に互換出力することが可能となる。
【図面の簡単な説明】
　【図１】
　本発明に係る印刷システムの１実施例を示す図である。
　【図２】
　本発明に係る印刷システムで使用される印刷情報データの例を示す図である。
　【図３】
　ホストコンピュータの書き出しプログラムの構成例を示す図である。
　【図４】
　印刷装置のデータ受信プログラムの構成例を示す図である。
　【図５】
　書き出しプログラムのデータ処理部による処理の流れを説明するための図である。
　【図６】
　データ受信プログラムのデータ処理部による処理の流れを説明するための図である。
　【図７】
　ホストコンピュータとプリンタとの接続方式の多様性を説明するための図である。
　【図８】
　従来の印刷システムの構成例を示す図である。
　【図９】
　印刷装置との接続方式が異なる場合におけるホストコンピュータの書き出しプログラムの構成例を説明するための図である。
　【符号の説明】
　１…アプリケーションプログラム、２…スプールファイル、３…書き出しプログラム、４…Ｉ／Ｆ制御回路、５…Ｉ／Ｆ制御回路、６…データ受信プログラム、７…印刷制御部